(57)【特許請求の範囲】
【請求項１】
ワイヤレス通信システムにおいて複数のワイヤレス・ノードからのデータの同時送信をスケジュールするための方法であって、
第１のアップリンク送信機会の開始の表示を備えるダウンリンク送信を複数のワイヤレス・ノードへ送信することと、
第２のアップリンク送信機会における１つまたは複数のアップリンク・ストリームの要求およびアップリンクデータを備える前記複数のワイヤレス・ノードからのアップリンク送信を前記第１のアップリンク送信機会の間に同時に受信することと
を備える方法。
【請求項２】
前記受信することは、空間分割多元接続（ＳＤＭＡ）方式を通して送られるデータの同時送信を受信することを備える、請求項１に記載の方法。
【請求項３】
前記送信することは、空間分割多元接続（ＳＤＭＡ）方式を通して送信することを備える、請求項１に記載の方法。
【請求項４】
前記送信することは、ワイヤレス・ノードのグループへアドレス指定される区分表示を含むダウンリンク送信を送信することを備える、請求項１に記載の方法。
【請求項５】
前記送信することは、異なるワイヤレス・ノードへアドレス指定される複数の区分表示を含むダウンリンク送信を送信することを備える、請求項１に記載の方法。
【請求項６】
前記送信することは、前記１つまたは複数のワイヤレス・ノードのためのダウンリンクデータおよび少なくとも１つの区分表示を含むダウンリンク送信を送信することを備える、請求項１に記載の方法。
【請求項７】
前記送信することは、少なくとも１つのブロック・アックノレッジメント要求を含むダウンリンク送信を送信することを備える、請求項１に記載の方法。
【請求項８】
前記受信することは、以前に送信されたダウンリンクデータの少なくとも１つのアックノレッジメントを含むアップリンク送信を受信することを備える、請求項１に記載の方法。
【請求項９】
前記受信することは、少なくとも１つのブロック・アックノレッジメント要求を含むアップリンク送信を受信することを備える、請求項１に記載の方法。
【請求項１０】
前記送信することは、ブロック・アックノレッジメント、ブロック・アックノレッジメント要求、またはダウンリンクデータのうちの少なくとも１つおよび前記第１のアップリンク送信機会の前記開始の前記表示を含むダウンリンク送信を送信することを備える、請求項１に記載の方法。
【請求項１１】
ワイヤレス通信システムにおいてワイヤレス・ノードからアクセス・ポイントへデータの送信をスケジュールするための方法であって、
第１のアップリンク送信機会の開始の表示を備えるダウンリンク送信を前記アクセス・ポイントから受信することと、
第２のアップリンク送信機会において１つまたは複数のアップリンク・ストリームの要求およびアップリンクデータを備えるアップリンク送信を前記第１のアップリンク送信機会の間に他のワイヤレス・ノードから送られるアップリンク送信と同時に送信することと
を備える方法。
【請求項１２】
前記受信することは、空間分割多元接続（ＳＤＭＡ）方式を通して送られる前記ダウンリンク送信を受信することを備える、請求項１１に記載の方法。
【請求項１３】
前記送信することは、空間分割多元接続（ＳＤＭＡ）方式を通して他のワイヤレス・ノードから送られるアップリンク送信と同時に前記アップリンク送信を送信することを備える、請求項１１に記載の方法。
【請求項１４】
前記送信することは、前記アップリンク送信において以前に受信されたダウンリンクデータの少なくとも１つのアックノレッジメントを送信することを備える、請求項１１に記載の方法。
【請求項１５】
前記送信することは、前記アップリンク送信において少なくとも１つのブロック・アックノレッジメント要求を送信することを備える、請求項１１に記載の方法。
【請求項１６】
前記受信することは、ブロック・アックノレッジメント、ブロック・アックノレッジメント要求、またはダウンリンクデータのうちの少なくとも１つおよび前記第１のアップリンク送信機会の前記開始の前記表示を含むダウンリンク送信を受信することを備える、請求項１１に記載の方法。
【請求項１７】
ワイヤレス通信のための装置であって、
第１のアップリンク送信機会の開始の表示を備えるダウンリンク送信を複数のワイヤレス・ノードへ送信するための送信機と、
第２のアップリンク送信機会において１つまたは複数のアップリンク・ストリームの要求およびアップリンクデータを備える前記複数のワイヤレス・ノードからアップリンク送信を前記第１のアップリンク送信機会の間に同時に受信するための受信機と
を備える装置。
【請求項１８】
前記受信機は、空間分割多元接続（ＳＤＭＡ）方式を通して送られるデータの同時送信を受信するように構成される、請求項１７に記載の装置。
【請求項１９】
前記送信機は、空間分割多元接続（ＳＤＭＡ）方式を通して送信することを含む第１のアップリンク送信機会の開始を示すフレームを前記１つまたは複数のワイヤレス・ノードへ送信するように構成される、請求項１７に記載の装置。
【請求項２０】
前記ダウンリンク送信は、ワイヤレス・ノードのグループへアドレス指定される区分表示を備える、請求項１７に記載の装置。
【請求項２１】
前記ダウンリンク送信は、異なるワイヤレス・ノードへアドレス指定される複数の区分表示を備える、請求項１７に記載の装置。
【請求項２２】
前記ダウンリンク送信は、前記１つまたは複数のワイヤレス・ノードのためのダウンリンクデータおよび少なくとも１つの区分表示を備える、請求項１７に記載の装置。
【請求項２３】
前記ダウンリンク送信は、少なくとも１つのブロック・アックノレッジメント要求を備える、請求項１７に記載の装置。
【請求項２４】
前記アップリンク送信は、以前に送信されたダウンリンクデータの少なくとも１つのアックノレッジメントを備える、請求項１７に記載の装置。
【請求項２５】
前記アップリンク送信は、少なくとも１つのブロック・アックノレッジメント要求を備える、請求項１７に記載の装置。
【請求項２６】
前記ダウンリンク送信は、ブロック・アックノレッジメント、ブロック・アックノレッジメント要求、またはダウンリンクデータのうちの少なくとも１つおよび前記第１のアップリンク送信機会の前記開始の前記表示を備える、請求項１７に記載の装置。
【請求項２７】
ワイヤレス通信のための装置であって、
第１のアップリンク送信機会の開始の表示を備えるダウンリンク送信をアクセス・ポイントから受信するための受信機と、
第２のアップリンク送信機会において１つまたは複数のアップリンク・ストリームの要求およびアップリンクデータを備えるアップリンク送信を前記第１のアップリンク送信機会の間に他のワイヤレス・ノードから送られるアップリンク送信と同時に送信するための送信機と
を備える装置。
【請求項２８】
前記受信機は、空間分割多元接続（ＳＤＭＡ）方式を通して送られる前記ダウンリンク送信を受信するように構成される、請求項２７に記載の装置。
【請求項２９】
前記送信機は、空間分割多元接続（ＳＤＭＡ）方式を通して他のワイヤレス・ノードから送られるアップリンク送信と同時に前記アップリンク送信を送信するように構成される、請求項２７に記載の装置。
【請求項３０】
前記アップリンク送信は、以前に受信されたダウンリンクデータの少なくとも１つのアックノレッジメントを備える、請求項２７に記載の装置。
【請求項３１】
前記アップリンク送信は、少なくとも１つのブロック・アックノレッジメント要求を備える、請求項２７に記載の装置。
【請求項３２】
前記ダウンリンク送信は、ブロック・アックノレッジメント、ブロック・アックノレッジメント要求、またはダウンリンクデータのうちの少なくとも１つおよび前記第１のアップリンク送信機会の前記開始の前記表示を備える、請求項２７に記載の装置。
【請求項３３】
ワイヤレス通信のための装置であって、
第１のアップリンク送信機会の開始の表示を備えるダウンリンク送信を複数のワイヤレス・ノードへ送信するための手段と、
第２のアップリンク送信機会において１つまたは複数のアップリンク・ストリームの要求およびアップリンクデータを備える前記複数のワイヤレス・ノードからアップリンク送信を前記第１のアップリンク送信機会の間に同時に受信するための手段と
を備える装置。
【請求項３４】
前記１つまたは複数のワイヤレス・ノードからアップリンク送信を受信するための前記手段は、空間分割多元接続（ＳＤＭＡ）方式を通して送られるデータの同時送信を受信するように構成される、請求項３３に記載の装置。
【請求項３５】
送信するための前記手段は、空間分割多元接続（ＳＤＭＡ）方式を通して送信することを備える第１のアップリンク送信機会の開始を示すフレームを前記１つまたは複数のワイヤレス・ノードへ送信するように構成される、請求項３３に記載の装置。
【請求項３６】
前記ダウンリンク送信は、ワイヤレス・ノードのグループへアドレス指定された区分表示を備える、請求項３３に記載の装置。
【請求項３７】
前記ダウンリンク送信は、異なるワイヤレス・ノードへアドレス指定された複数の区分表示を備える、請求項３３に記載の装置。
【請求項３８】
前記ダウンリンク送信は、前記１つまたは複数のワイヤレス・ノードのためのダウンリンクデータおよび少なくとも１つの区分表示を備える、請求項３３に記載の装置。
【請求項３９】
前記ダウンリンク送信は、少なくとも１つのブロック・アックノレッジメント要求を備える、請求項３３に記載の装置。
【請求項４０】
前記アップリンク送信は、以前に送信されたダウンリンクデータの少なくとも１つのアックノレッジメントを備える、請求項３３に記載の装置。
【請求項４１】
前記アップリンク送信は、少なくとも１つのブロック・アックノレッジメント要求を備える、請求項３３に記載の装置。
【請求項４２】
前記ダウンリンク送信は、ブロック・アックノレッジメント、ブロック・アックノレッジメント要求、またはダウンリンクデータのうちの少なくとも１つおよび前記第１のアップリンク送信機会の前記開始の前記表示を備える、請求項３３に記載の装置。
【請求項４３】
ワイヤレス通信システムにおいてワイヤレス・ノードからアクセス・ポイントへデータの送信をスケジュールするための装置であって、
第１のアップリンク送信機会の開始の表示を備えるダウンリンク送信を前記アクセス・ポイントから受信するための手段と、
第２のアップリンク送信機会において１つまたは複数のアップリンク・ストリームの要求およびアップリンクデータを備えるアップリンク送信を前記第１のアップリンク送信機会の間に他のワイヤレス・ノードから送られるアップリンク送信と同時に送信するための手段と
を備える装置。
【請求項４４】
前記ダウンリンク送信を受信するための前記手段は、空間分割多元接続（ＳＤＭＡ）方式を通して送られる前記ダウンリンク送信を受信するための手段を備える、請求項４３に記載の装置。
【請求項４５】
前記アップリンク送信を送信するための前記手段は、空間分割多元接続（ＳＤＭＡ）方式を通して他のワイヤレス・ノードから送られるアップリンク送信と同時に前記アップリンク送信を送信するための手段を備える、請求項４３に記載の装置。
【請求項４６】
前記アップリンク送信は、以前に受信されたダウンリンクデータの少なくとも１つのアックノレッジメントを備える、請求項４３に記載の装置。
【請求項４７】
前記アップリンク送信は、少なくとも１つのブロック・アックノレッジメント要求を備える、請求項４３に記載の装置。
【請求項４８】
前記ダウンリンク送信は、ブロック・アックノレッジメント、ブロック・アックノレッジメント要求、ダウンリンクデータのうちの少なくとも１つおよび前記第１のアップリンク送信機会の前記開始の前記表示を備える、請求項４３に記載の装置。
【請求項４９】
ワイヤレス通信のためのコンピュータ・プログラムであって、
第１のアップリンク送信機会の開始の表示を備えるダウンリンク送信を複数のワイヤレス・ノードへ送信し、
第２のアップリンク送信機会において１つまたは複数のアップリンク・ストリームの要求およびアップリンクデータを備える前記複数のワイヤレス・ノードからアップリンク送信を前記第１のアップリンク送信機会の間に同時に受信する
ようコンピュータによって実行可能な命令を備える、コンピュータ・プログラム。
【請求項５０】
通信のためのコンピュータ・プログラムであって、
第１のアップリンク送信機会の開始の表示を備えるダウンリンク送信を前記アクセス・ポイントから受信し、
第２のアップリンク送信機会において１つまたは複数のアップリンク・ストリームの要求およびアップリンクデータを備えるアップリンク送信を前記第１のアップリンク送信機会の間に他のワイヤレス・ノードから送られるアップリンク送信と同時に送信する
ようコンピュータによって実行可能な命令を備える、コンピュータ・プログラム。
【発明の詳細な説明】
【関連出願】
【０００１】
米国特許法１１９条に基づく優先権の主張  
本特許出願は、２００９年２月２７日に出願された「PIGGYBACKING INFORMATION IN TRANSMIT OPPORTUNITIES」という名称の米国仮出願番号６１／１５６,３５３に基づいて優先権を主張するものであって、当該仮出願は、本件出願の被譲渡人に譲渡され、参照によって本明細書の全体に組み込まれている。
【技術分野】
【０００２】
本開示のある態様は、空間分割多元接続（SDMA）システムのような多元接続を可能にする技術を使用するワイヤレス通信に一般に関係する。
【背景技術】
【０００３】
ワイヤレス通信システムに必要とされる帯域幅要求を増加させる問題に取り組むために、高データ・スループットを達成しつつ、複数のユーザ端末が、同じチャネル（同じ時間および周波数リソース）を共有することによって単一の基地局と通信することを可能にするために異なる方式が開発されている。空間分割多元接続（ＳＤＭＡ）は、次世代通信システムのための一般的な技術として最近登場したアプローチの１つである。
【０００４】
ＳＤＭＡシステムにおいて、基地局は、同時に、かつ、同じ周波数を使用して、異なる信号を複数のモバイル・ユーザ端末へ送信または複数のモバイル・ユーザ端末から受信することができる。信頼できるデータ通信を達成するために、ユーザ端末は、十分に異なる方向に位置する必要があり得る。独立した信号は、基地局においてスペースで分離された複数のアンテナの各々から同時に送信されることができる。したがって、結合された送信は、指向性であり得る。つまり、各々のユーザ端末に専用の信号は、その特定のユーザ端末の方向において比較的強く、他のユーザ端末の方向において十分に弱くてもよい。同様に、基地局は、スペースを空けて分離された複数のアンテナの各々を通って複数のユーザ端末から、結合された信号を同じ周波数上で同時に受信することができ、複数のアンテナからの結合された受信信号は、適切な信号処理技術を適用することによって各々のユーザ端末から送信された独立の信号に分割されることができる。
【０００５】
多入力多出力（ＭＩＭＯ）ワイヤレス・システムは、データ送信のための複数（ＮＴ個）の送信アンテナおよび複数（ＮＲ個）の受信アンテナを採用する。ＮＴ個の送信アンテナおよびＮＲ個の受信アンテナによって形成されるＭＩＭＯチャネルは、ＮＳ個の空間ストリームに分解されることができる。ここで、実際上は、ＮＳ≦ｍｉｎ｛ＮＴ，ＮＲ｝である。ＮＳ個の空間ストリームは、より大きな全体のスループットを達成するためにＮＳ個の独立のデータ・ストリームを送信するために使用されることができる。
【０００６】
ＳＤＭＡに基づく多元接続ＭＩＭＯシステムにおいて、アクセス・ポイントは、いかなる瞬間においても１つまたは複数のユーザ端末と通信することができる。アクセス・ポイントが単一のユーザ端末と通信する場合、ＮＴ個の送信アンテナは、１つの送信エンティティ（アクセス・ポイントまたはユーザ端末のいずれか）と関連し、ＮＲ個の受信アンテナは、１つの受信エンティティ（ユーザ端末またはアクセス・ポイントのいずれか）と関連する。アクセス・ポイントはまた、ＳＤＭＡを通して複数のユーザ端末と同時に通信することができる。ＳＤＭＡの場合、アクセス・ポイントは、データ送信およびデータ受信のために複数のアンテナを利用し、ユーザ端末の各々は、典型的に、データ送信およびデータ受信のためにアクセス・ポイントのアンテナの数よりも少ない数を利用する。ＳＤＭＡがアクセス・ポイントから送信される場合、ＮＳ＝ｍｉｎ｛ＮＴ，ｓｕｍ（ＮＲ）｝である。ここで、ｓｕｍ（ＮＲ）は、すべてのユーザ端末の受信アンテナの合計を表す。ＳＤＭＡがアクセス・ポイントへ送信される場合、ＮＳ＝ｍｉｎ｛ｓｕｍ（ＮＴ），ＮＲ｝である。ここで、ｓｕｍ（ＮＴ）は、すべてのユーザ端末の送信アンテナの合計を表す。
【発明の概要】
【０００７】
本開示のある態様は、ワイヤレス通信システムにおいて複数のワイヤレス・ノードからのデータの同時送信をスケジュールするための方法を提供する。当該方法は、一般に、第１のアップリンク送信機会の開始の表示を含むダウンリンク送信を１つまたは複数のワイヤレス・ノードへ送信することと、第２のアップリンク送信機会における１つまたは複数のアップリンク・ストリームの要求およびアップリンクデータを備えるアップリンク送信を１つまたは複数の局から、第１のアップリンク送信機会の間に受信することとを含む。
【０００８】
本開示のある態様は、ワイヤレス通信システムにおいてワイヤレス・ノードからアクセス・ポイントへデータの送信をスケジュールするための方法を提供する。当該方法は、一般に、第１のアップリンク送信機会の開始の表示を備えるダウンリンク送信をアクセス・ポイントから受信することと、第２のアップリンク送信機会において１つまたは複数のアップリンク・ストリームの要求およびアップリンクデータを備えるアップリンク送信を第１のアップリンク送信機会の間に送信することとを含む。
【０００９】
ある実施形態は、ワイヤレス通信のための装置を提供する。当該装置は、一般に、第１のアップリンク送信機会の開始の表示を備えるダウンリンク送信を１つまたは複数のワイヤレス・ノードへ送信するための送信機と、第２のアップリンク送信機会において１つまたは複数のアップリンク・ストリームの要求およびアップリンクデータを備える１つまたは複数のワイヤレス・ノードからアップリンク送信を第１のアップリンク送信機会の間に受信するための受信機とを含む。
【００１０】
ある実施形態は、ワイヤレス通信のための装置を提供する。当該装置は、一般に、第１のアップリンク送信機会の開始の表示を備えるダウンリンク送信をアクセス・ポイントから受信するための受信機と、第２のアップリンク送信機会において１つまたは複数のアップリンク・ストリームの要求およびアップリンクデータを備えるアップリンク送信を第１のアップリンク送信機会の間に送信するための送信機とを含む。
【００１１】
ある実施形態は、ワイヤレス通信のための装置を提供する。当該装置は、一般に、第１のアップリンク送信機会の開始の表示を備えるダウンリンク送信を１つまたは複数のワイヤレス・ノードへ送信するための手段と、第２のアップリンク送信機会において１つまたは複数のアップリンク・ストリームの要求およびアップリンクデータを備える１つまたは複数のワイヤレス・ノードからアップリンク送信を第１のアップリンク送信機会の間に受信するための手段とを含む。
【００１２】
ある実施形態は、ワイヤレス通信システムにおいてワイヤレス・ノードからアクセス・ポイントへのデータの送信をスケジュールするための装置を提供する。当該装置は、一般に、第１のアップリンク送信機会の開始の表示を備えるダウンリンク送信をアクセス・ポイントから受信するための手段と、および第２のアップリンク送信機会において１つまたは複数のアップリンク・ストリームの要求およびアップリンクデータを備えるアップリンク送信を第１のアップリンク送信機会の間に送信するための手段とを含む。
【００１３】
本開示のある態様は、命令によりエンコードされたコンピュータ可読媒体を備えるワイヤレス通信のためのコンピュータ・プログラム・プロダクトを提供する。当該命令は、一般に、第１のアップリンク送信機会の開始の表示を備えるダウンリンク送信を１つまたは複数のワイヤレス・ノードへ送信し、および第２のアップリンク送信機会において１つまたは複数のアップリンク・ストリームの要求およびアップリンクデータを備える１つまたは複数のワイヤレス・ノードからアップリンク送信を第１のアップリンク送信機会の間に受信するよう実行可能である。
【００１４】
本開示のある態様は、命令によりエンコードされたコンピュータ可読媒体を備える通信のためのコンピュータ・プログラム・プロダクトを提供する。命令は、一般に、第１のアップリンク送信機会の開始の表示を備えるダウンリンク送信をアクセス・ポイントから受信し、および第２のアップリンク送信機会において１つまたは複数のアップリンク・ストリームの要求およびアップリンクデータを備えるアップリンク送信を第１のアップリンク送信機会の間に送信するよう実行可能である。
【図面の簡単な説明】
【００１５】
本開示の上で述べられた特徴が詳細に理解されることができるように、上で簡潔に要約された、より特定の説明は、複数の態様への参照によってもたらされる。そのうちのいくつかは、添付の図面において例示されている。しかしながら、添付の図面は、本開示のある典型的な態様のみを例示し、したがって、その範囲を制限するものとみなされるべきではなく、当該説明は、他の等しく有効な態様に対して認めることができることが注目されるべきである。
【図１】図１は、本開示のある態様にしたがって、空間分割多元接続（ＳＤＭＡ）多入力多出力（ＭＩＭＯ）ワイヤレス・システムを例示する。
【図２】図２は、本開示のある態様にしたがって、アクセス・ポイントおよび２つのユーザ端末のブロック図を例示する。
【図３】図３は、本開示のある態様にしたがって、ワイヤレス・デバイスにおいて利用されることができる様々なコンポーネントを例示する。
【図４】図４は、本開示のある態様にしたがって、割り当て表示（ＡＩ: Allocation Indication）および割り当て応答（ＡＲ: Allocation Response）フレームをピギーバックする(piggybacking)ためのオペレーションの一例を例示する。
【図４Ａ】図４Ａは、図４において例示されるオペレーションを行うことができる回路の一例を例示する。
【図５】図５は、本開示のある態様にしたがって、ＳＤＭＡシステムにおけるフレーム交換シーケンスの一例を例示する。
【図６】図６は、本開示のある態様にしたがって、ＳＤＭＡシステムにおけるフレーム交換シーケンスの一例を例示する。
【図７】図７は、本開示のある態様にしたがって、ＳＤＭＡシステムにおけるフレーム交換シーケンスの一例を例示する。
【図８】図８は、本開示のある態様にしたがって、ＳＤＭＡシステムにおけるフレーム交換シーケンスの一例を例示する。
【図９】図９は、本開示のある態様にしたがって、区分表示（ＤＩ: Demarcation Indication）フレームをピギーバックするためのオペレーションの一例を例示する。
【図９Ａ】図９Ａは、図９において例示されるオペレーションを行うことができる回路の一例を例示する。
【図１０】図１０は、本開示のある態様にしたがって、ＳＤＭＡシステムにおけるフレーム交換シーケンスの一例を例示する。
【図１１】図１１は、本開示のある態様にしたがって、ＳＤＭＡシステムにおけるフレーム交換シーケンスの一例を例示する。
【図１２】図１２は、本開示のある態様にしたがって、ＳＤＭＡシステムにおけるフレーム交換シーケンスの一例を例示する。
【図１３】図１３は、本開示のある態様にしたがって、ＳＤＭＡシステムにおけるフレーム交換シーケンスの一例を例示する。
【図１４】図１４は、本開示のある態様にしたがって、ＳＤＭＡシステムにおけるフレーム交換シーケンスの一例を例示する。
【図１５】図１５は、本開示のある態様にしたがって、ＳＤＭＡシステムにおけるフレーム交換シーケンスの一例を例示する。
【図１６】図１６は、本開示のある態様にしたがって、ＳＤＭＡシステムにおけるフレーム交換シーケンスの一例を例示する。
【図１７】図１７は、本開示のある態様にしたがって、ＳＤＭＡシステムにおけるフレーム交換シーケンスの一例を例示する。
【図１８】図１８は、本開示のある態様にしたがって、ＳＤＭＡシステムにおけるフレーム交換シーケンスの一例を例示する。
【図１９】図１９は、本開示のある態様にしたがって、ＳＤＭＡシステムにおけるフレーム交換シーケンスの一例を例示する。
【図２０】図２０は、本開示のある態様にしたがって、ＳＤＭＡシステムにおけるフレーム交換シーケンスの一例を例示する。
【図２１】図２１は、本開示のある態様にしたがって、ＳＤＭＡシステムにおけるフレーム交換シーケンスの一例を例示する。
【図２２】図２２は、本開示のある態様にしたがって、ＡＩ、ＡＲ、およびＤＩフレームをフォーマットするための一例を例示する。
【図２３】図２３は、本開示のある態様にしたがって、ＡＩ、ＡＲ、およびＤＩフレームをフォーマットするための一例を例示する。
【図２４】図２４は、本開示のある態様にしたがって、ＡＩ、ＡＲ、およびＤＩフレームをフォーマットするための一例を例示する。
【図２５】図２５は、本開示のある態様にしたがって、ＡＩ、ＡＲ、およびＤＩフレームをフォーマットするための一例を例示する。
【図２６】図２６は、本開示のある態様にしたがって、ＡＩ、ＡＲ、およびＤＩフレームをフォーマットするための一例を例示する。
【発明の詳細な説明】
【００１６】
「典型的な(exemplary)」という用語は、本明細書において、「事例、例、または例示として役に立つ(serving as an example, instance, or illustration)」ことを意味するために使用される。本明細書において、「典型的な（exemplary）」として説明される任意の実施形態は、必ずしも他の態様に対して好ましいまたは有利であるものとして解釈されなくてもよい。さらに、本明細書において使用されるように、「レガシー局(legacy station)」という用語は、一般に、８０２．１１ｎまたはＩＥＥＥ８０２．１１標準の初期のバージョンをサポートするワイヤレス・ネットワーク・ノードのことをいう。
【００１７】
本明細書において説明されるマルチ・アンテナ送信技術は、符号分割多元接続（ＣＤＭＡ）、直交周波数分割多重化（ＯＦＤＭ）、時分割多元接続（ＴＤＭＡ）などのような様々なワイヤレス技術との組み合わせで使用されることができる。複数のユーザ端末は、異なる（１）ＣＤＭＡのための直交符号チャネル、（２）ＴＤＭＡのためのタイム・スロット、または（３）ＯＦＤＭのためのサブバンドを通してデータを同時に送信／受信することができる。ＣＤＭＡシステムは、ＩＳ−２０００、ＩＳ−９５、ＩＳ−８５６、広帯域ＣＤＭＡ（Ｗ−ＣＤＭＡ）、またはいくつかの他の標準を実行することができる。ＯＦＤＭシステムは、ＩＥＥＥ８０２．１１またはいくつかの他の標準を実行することができる。ＴＤＭＡシステムは、ＧＳＭ（登録商標）またはいくつかの他の標準を実行することができる。これらの様々な標準は、当該技術分野において知られている。
【００１８】
本開示のある態様は、例えば、空間分割多元接続（ＳＤＭＡ）送信機会（ＴＸＯＰ: transmit opportunities）のようなスケジュール並列送信（schedule parallel transmissions）を利用されることができる技術および装置を提供する。
【００１９】
例示的なワイヤレス通信システム 
「典型的な(exemplary)」という用語は、本明細書において、「事例、例、または例示として役に立つ(serving as an example, instance, or illustration)」ことを意味するために使用される。本明細書において、「典型的な（exemplary）」として説明される任意の実施形態は、必ずしも他の態様に対して好ましいまたは有利であるものとして解釈されなくてもよい。
【００２０】
本明細書において説明されるマルチ・アンテナ送信技術は、符号分割多元接続（ＣＤＭＡ）、直交周波数分割多重化（ＯＦＤＭ）、時分割多元接続（ＴＤＭＡ）などのような様々なワイヤレス技術との組み合わせで使用されることができる。複数のユーザ端末は、異なる（１）ＣＤＭＡのための直交符号チャネル、（２）ＴＤＭＡのためのタイム・スロット、または（３）ＯＦＤＭのためのサブバンドを通してデータを同時に送信／受信することができる。ＣＤＭＡシステムは、ＩＳ−２０００、ＩＳ−９５、ＩＳ−８５６、広帯域ＣＤＭＡ（Ｗ−ＣＤＭＡ）、またはいくつかの他の標準を実行することができる。ＯＦＤＭシステムは、ＩＥＥＥ８０２．１１またはいくつかの他の標準を実行することができる。ＴＤＭＡシステムは、ＧＳＭまたはいくつかの他の標準を実行することができる。これらの様々な標準は、当該技術分野において知られている。
【００２１】
図１は、アクセス・ポイントおよびユーザ端末を備える多元接続ＭＩＭＯシステム１００を図示する。単純化のために、図１において、１つのアクセス・ポイント１１０のみが図示されている。アクセス・ポイントは、一般に、ユーザ端末と通信する固定局であり、基地局またはいくつかの他の用語で呼ばれてもよい。ユーザ端末は、固定またはモバイルであってもよく、モバイル局、ワイヤレス・デバイス、単に「局」、またはいくつかの他の用語で呼ばれてもよい。アクセス・ポイント１１０は、ダウンリンクおよびアップリンク上のいかなる瞬間においても１つまたは複数のユーザ端末１２０と通信することができる。ダウンリンク（つまり、順方向リンク）は、アクセス・ポイントからユーザ端末への通信リンクであり、アップリンク（つまり、逆方向リンク）は、ユーザ端末からアクセス・ポイントへの通信リンクである。ユーザ端末はまた、他のユーザ端末とピア・ツー・ピアで通信することができる。システム・コントローラ１３０は、アクセス・ポイントに連結し、アクセス・ポイントに関する調整およびコントロールを提供する。
【００２２】
以下の開示の部分は、ＳＤＭＡを通して通信することができるユーザ端末１２０を説明するが、ある態様の場合、ユーザ端末１２０は、ＳＤＭＡをサポートしないいくつかのユーザ端末も含むことができる。したがって、そのような態様の場合、ＡＰ１１０は、ＳＤＭＡおよび非ＳＤＭＡユーザ端末の両方と通信するよう構成されることができる。このアプローチは、ユーザ端末のより新しいＳＤＭＡユーザ端末が、適切と思われるものとして導入されることを可能にしつつ、より古いバージョン（「レガシー（legacy）局」）が、それらの有効な寿命を延長するよう、企業において展開し続けることをうまい具合に可能にすることができる。
【００２３】
システム１００は、ダウンリンクおよびアップリンク上のデータ送信のために複数の送信アンテナおよび複数の受信アンテナを採用する。アクセス・ポイント１１０は、Ｎａｐ個のアンテナを備え付けられ、ダウンリンク送信のための多入力（ＭＩ）およびアップリンク送信のための多出力（ＭＯ）を表す。１セットのＮｕ個の選択されたユーザ端末１２０は、ダウンリンク送信のための多出力およびアップリンク送信のための多入力を集合的に表す。純粋なＳＤＭＡの場合、Ｎｕ個のユーザ端末のためのデータ・シンボル・ストリームがいくつかの手段によってコード、周波数、または時間において多重化されていない場合、Ｎａｐ≧Ｎｕ≧１であることが望ましい。データ・シンボル・ストリームが、ＣＤＭＡをともなう異なる符号チャネルを使用して多重化される、ＯＦＤＭをともなうサブバンドのセットを解体される、などを行われ得る場合、Ｎｕは、Ｎａｐよりも大きくてもよい。各々の選択されたユーザ端末は、アクセス・ポイントへユーザに固有のデータを送信し、および／またはアクセス・ポイントからユーザに固有のデータを受信する。一般に、各々の選択されたユーザ端末は、１つまたは複数のアンテナ（つまり、Ｎｕｔ≧１）を備え付けられてもよい。Ｎｕ個の選択されたユーザ端末は、同じまたは異なる数のアンテナを有することができる。
【００２４】
ＳＤＭＡシステム１００は、時分割二重（ＴＤＤ: time division duplex）システムまたは周波数分割二重（ＦＤＤ: frequency division duplex）システムであってもよい。ＴＤＤシステムの場合、ダウンリンクおよびアップリンクは、同じ周波数帯域を共有する。ＦＤＤシステムの場合、ダウンリンクおよびアップリンクは、異なる周波数帯域を使用する。ＭＩＭＯシステム１００はまた、送信のために単一の搬送波または複数の搬送波を利用することができる。各々のユーザ端末は、単一のアンテナ（例えば、コストを抑えるために）または複数のアンテナ（例えば、追加費用がサポートされることができる場合）を備え付けられることができる。
【００２５】
図２は、ＭＩＭＯシステム１００におけるアクセス・ポイント１１０および２つのユーザ端末１２０ｍおよび１２０ｘのブロック図を図示する。アクセス・ポイント１１０は、アンテナ２２４ａないし２２４ｔを備え付けられる。ユーザ端末１２０ｍは、アンテナ２５２ｍａないし２５２ｍｕを備え付けられ、ユーザ端末１２０ｘは、アンテナ２５２ｘａないし２５２ｘｕを備え付けられる。アクセス・ポイント１１０は、ダウンリンクのための送信エンティティであり、アップリンクのための受信エンティティである。各々のユーザ端末１２０は、アップリンクのための送信エンティティであり、ダウンリンクのための受信エンティティである。本明細書において使用されるように、「送信エンティティ（transmitting entity）」は、ワイヤレス・チャネルを通してデータを送信することができる独立に動作する装置またはデバイスであり、「受信エンティティ（receiving entity）」は、ワイヤレス・チャネルを通してデータを受信することができる独立に動作する装置またはデバイスである。以下の説明において、添字「ｄｎ」は、ダウンリンクを示し、添字「ｕｐ」は、アップリンクを示し、Ｎｕｐ個のユーザ端末は、アップリンク上の同時送信のために選択され（つまり、Ｎｕｐ個のユーザ端末は、ＳＤＭＡを通してアップリンク上で同時にＡＰに送信することができる）、Ｎｄｎ個のユーザ端末は、ダウンリンク上の同時送信のために選択され（つまり、ＡＰは、ＳＤＭＡを通してダウンリンク上で同時にＮｄｎ個のユーザ端末に送信することができる）、Ｎｕｐは、Ｎｄｎと等しいまたは等しくなくてもよく、ＮｕｐおよびＮｄｎは、静的値であってもよく、または各々のスケジューリング・インターバルごとに変化してもよい。ビームステアリングまたはいくつかの他の空間処理技術は、アクセス・ポイントおよびユーザ端末において使用されることができる。
【００２６】
アップリンク上で、アップリンク送信のために選択される各々のユーザ端末１２０において、ＴＸデータ・プロセッサ２８８は、データソース２８６からトラフィックデータを受信し、コントローラ２８０からコントロールデータを受信する。ＴＸデータ・プロセッサ２８８は、ユーザ端末のために選択されたレートと関連するコーディングおよび変調方式に基づいてユーザ端末のためのトラフィックデータを処理（例えば、エンコード、インターリーブ、および変調）し、データ・シンボル・ストリームを提供する。ＴＸ空間プロセッサ２９０は、データ・シンボル・ストリーム上で空間処理を行い、アンテナのために送信シンボル・ストリームを提供する。各々の送信機ユニット（ＴＭＴＲ）２５４は、アップリンク信号を生成するためにそれぞれの送信シンボル・ストリームを受信しおよび処理する（例えば、アナログ変換する、増幅する、フィルタする、および周波数アップコンバートする）。送信機ユニット２５４は、アンテナ２５２からアクセス・ポイントへの送信のためのアップリンク信号を提供する。
【００２７】
Ｎｕｐ個のユーザ端末は、アップリンク上の同時送信のためにスケジュールされることができる。これらのユーザ端末の各々は、そのデータ・シンボル・ストリーム上で空間処理を行い、アップリンク上でアクセス・ポイントへその送信シンボル・ストリームのセットを送信する。
【００２８】
アクセス・ポイント１１０において、アンテナ２２４ａないし２２４ａｐは、アップリンク上で送信するすべてのＮｕｐ個のユーザ端末からのアップリンク信号を受信する。各々のアンテナ２２４は、それぞれの受信機ユニット（ＲＣＶＲ）２２２へ受信信号を提供する。各々の受信機ユニット２２２は、送信機ユニット２５４によって行われるものに相補的な処理を行い、受信されたシンボル・ストリームを提供する。ＲＸ空間プロセッサ２４０は、受信機ユニット２２２からの受信されたシンボル・ストリーム上で受信機空間処理を行い、Ｎｕｐ個の回復されたアップリンクデータ・シンボル・ストリームを提供する。受信機空間処理は、チャネル相関行列反転（ＣＣＭＩ: channel correlation matrix inversion）、最小平均二乗誤差（ＭＭＳＥ: minimum mean square error）、ソフト干渉除去（ＳＩＣ: soft interference cancellation）、またはいくつかの他の技術にしたがって行われる。各々の回復されたアップリンク・データ・シンボル・ストリームは、それぞれのユーザ端末によって送信されるデータ・シンボル・ストリームの推定である。ＲＸデータ・プロセッサ２４２は、デコードされたデータを得るために各々の回復されたアップリンクデータ・シンボル・ストリームについて使用されたレートにしたがってそのストリームを処理する（例えば、復調する、デインターリーブする、およびデコードする）。各々のユーザ端末のためのデコードされたデータは、記憶するためにデータシンク２４４へ提供されることができ、および／または更なる処理のためにコントローラ２３０へ提供されることができる。
【００２９】
ダウンリンク上で、アクセス・ポイント１１０において、ＴＸデータ・プロセッサ２１０は、ダウンリンク送信のためにスケジュールされたＮｄｎ個のユーザ端末のためのデータソース２０８からトラフィックデータ、コントローラ２３０からコントロールデータ、およびスケジューラ２３４からもしかすると他のデータを受信する。様々なデータのタイプは、異なるトランスポート・チャネル上で送られることができる。ＴＸデータ・プロセッサ２１０は、そのユーザ端末について選択されたレートに基づいて各々のユーザ端末のためのトラフィックデータを処理する（例えば、エンコードする、インターリーブする、および変調する）。ＴＸデータ・プロセッサ２１０は、Ｎｄｎ個のユーザ端末のためのＮｄｎ個のダウンリンクデータ・シンボル・ストリームを提供する。ＴＸ空間プロセッサ２２０は、Ｎｄｎダウンリンクデータ・シンボル・ストリーム上で（本開示において説明されたようなプレコーディングまたはビームフォーミングのような）空間処理を行い、アンテナのための送信シンボル・ストリームを提供する。各々の送信機ユニット２２２は、ダウンリンク信号を生成するためにそれぞれの送信シンボル・ストリームを受信しおよび処理する。送信機ユニット２２２は、アンテナ２２４からユーザ端末への送信のためのダウンリンク信号を提供する。
【００３０】
各々のユーザ端末１２０において、アンテナ２５２は、アクセス・ポイント１１０からダウンリンク信号を受信する。各々の受信機ユニット２５４は、関連するアンテナ２５２からの受信された信号を処理し、受信されたシンボル・ストリームを提供する。ＲＸ空間プロセッサ２６０は、受信機ユニット２５４からの受信されたシンボル・ストリーム上で受信機空間処理を行い、ユーザ端末のための回復されたダウンリンクデータ・シンボル・ストリームを提供する。受信機空間処理は、ＣＣＭＩ、ＭＭＳＥ、またはいくつかの他の技術にしたがって行われる。ＲＸデータ・プロセッサ２７０は、ユーザ端末のためのデコードされたデータを得るために、回復されたダウンリンクデータ・シンボル・ストリームを処理する（例えば、復調する、デインターリーブする、およびデコードする）。
【００３１】
各々のユーザ端末１２０において、チャネル推定器２７８は、ダウンリンク・チャネル応答を推定し、ダウンリンク・チャネル推定を提供する。これは、チャネル利得推定、ＳＮＲ推定、雑音分散（noise variance）などを含むことができる。同様に、チャネル推定器２２８は、アップリンク・チャネル応答を推定し、アップリンク・チャネル推定を提供する。各々のユーザ端末のためのコントローラ２８０は、そのユーザ端末のためのダウンリンク・チャネル応答行列Ｈｄｎ，ｍに基づいてユーザ端末のための空間フィルタ行列を典型的に導き出す。なお、下付き文字ｍは、「ｍ番目」のユーザ端末のことをいう。コントローラ２３０は、有効なアップリンク・チャネル応答行列Ｈｕｐ，ｅｆｆに基づいてアクセス・ポイントのための空間フィルタ行列を導き出す。各々のユーザ端末のためのコントローラ２８０は、アクセス・ポイントへフィードバック情報（例えば、ダウンリンクおよび／またはアップリンクの固有値ベクトル、固有値、ＳＮＲ推定値など）を送ることができる。コントローラ２３０および２８０はまた、アクセス・ポイント１１０およびユーザ端末１２０のそれぞれにおいて様々な処理ユニットのオペレーションをコントロールする。
【００３２】
図３は、ワイヤレス通信システム１００内で採用されることができるワイヤレス・デバイス３０２において利用されることができる様々なコンポーネントを例示する。ワイヤレス・デバイス３０２は、本明細書において説明される様々な方法を実行するように構成されることができるデバイスの一例である。ワイヤレス・デバイス３０２は、アクセス・ポイント（ＡＰ）または局（ユーザ端末）のようなワイヤレス・ノードの任意のタイプであってもよい。
【００３３】
ワイヤレス・デバイス３０２は、ワイヤレス・デバイス３０２のオペレーションをコントロールするプロセッサ３０４を含むことができる。プロセッサ３０４はまた、中央処理ユニット（ＣＰＵ）と呼ばれることができる。読み出し専用メモリ（ＲＯＭ）およびランダム・アクセス・メモリ（ＲＡＭ）の両方を含み得るメモリ３０６は、プロセッサ３０４に命令およびデータを提供する。メモリ３０６の一部はまた、不揮発性ランダム・アクセス・メモリ（ＮＶＲＡＭ: non-volatile random access memory）を含むことができる。プロセッサ３０４は、典型的に、メモリ３０６内に記憶されるプログラム命令に基づいて論理的および演算オペレーションを行う。メモリ３０６における命令は、本明細書において説明される方法を実行するために実行可能であり得る。
【００３４】
ワイヤレス・デバイス３０２はまた、ワイヤレス・デバイス３０２と遠隔位置との間のデータの送信および受信を可能にするために送信機３１０および受信機３１２を含むことができるハウジング３０８を含むことができる。送信機３１０および受信機３１２は、トランシーバ３１４に組み合わされることができる。単一のまたは複数の送信アンテナ３１６は、ハウジング３０８に取り付けられ、トランシーバ３１４と電気的に結合されることができる。ワイヤレス・デバイス３０２はまた、複数の送信機、複数の受信機、および複数のトランシーバ（図示されていない）を含むことができる。
【００３５】
ワイヤレス・デバイス３０２はまた、トランシーバ３１４によって受信される信号のレベルを検出しおよび定量化するために使用されることができる信号検出器３１８を含むことができる。信号検出器３１８は、そのような信号を合計エネルギ、シンボルごとサブキャリアごとのエネルギ、電力スペクトル密度、および他の信号として検出することができる。ワイヤレス・デバイス３０２はまた、信号を処理することに使用するためのデジタル信号プロセッサ（ＤＳＰ）３２０を含むことができる。
【００３６】
ワイヤレス・デバイス３０２の様々なコンポーネントは、データバスに加えて電力バス、制御信号バス、および状態信号バスを含むことができるバスシステム３２２によって一緒に結合されることができる。
【００３７】
本明細書において使用されるように、「レガシー（legacy）」という用語は、一般に、８０２．１１ｎまたは８０２．１１標準の初期のバージョンをサポートするワイヤレス・ネットワーク・ノードのことをいう。
【００３８】
ある技術は、本明細書においてＳＤＭＡを参照して説明されるが、当業者は、当該技術が、一般に、ＳＤＭＡ、ＯＦＤＭＡ、ＣＤＭＡ、およびそれらのものの組み合わせのような任意のタイプの多元接続方式を利用するシステムにおいて適用され得ることを認識するだろう。
【００３９】
図１−３において図示されるワイヤレス・システムは、アクセス・ポイントにおけるアンテナが十分に異なる方向に位置するところにおいてＳＤＭＡシステムとして実行されることができる。これは、異なるユーザ端末に専用の同時に送信された空間ストリームの間で干渉がないことを確実なものにする。本開示のある態様の場合、図１−３において図示されるワイヤレス・システムは、アクセス・ポイント・アンテナが、必ずしも十分に異なる方向に位置される必要はないが、送信信号のプリコーディング（ビームフォーミング）が、異なるユーザ端末に専用の空間ストリームの間で直交性を提供して適用されるマルチユーザ・システムのことをいうことができる。
【００４０】
空間分割多元接続（ＳＤＭＡ）方式において、複数の局（ＳＴＡ）からアクセス・ポイント（ＡＰ）へのアップリンク（ＵＬ）送信は、同期されるべきである。ＵＬ送信は、ＡＰにおける到着時間、周波数、受信されたパケットの電力長、および空間ストリームの割当ての観点から同期されるべきである。
【００４１】
送信機会（ＴＸＯＰ）において情報をピギーバックすること  
本開示のある態様にしたがって、送信するためのデータをともなう局は、アップリンク・リソースの要求を送ることができる。例えば、アップリンクＳＤＭＡ送信機会（ＴＸＯＰ）において空間ストリームを要求するためにアクセス・ポイント（ＡＰ）に割当て表示（ＡＩ: Allocation Indication）フレームを送信することができる。ＡＩフレームは、アップリンクＳＤＭＡ  ＴＸＯＰにおいて空間ストリームの要求数を示すことができる。ＡＰは、割当て応答（ＡＲ）フレームによりＡＩフレームに応答することができる。これは、空間ストリームの認可された数を指定することができる。
【００４２】
本開示のある態様にしたがって、別個のＡＩフレームを送るのではなく、局は、アップリンクＴＸＯＰの上にＡＩフレームをピギーバック（piggyback）することができる。同様の方法で、別個のＡＲフレームを送るのではなく、ＡＰは、ダウンリンクＴＸＯＰの上にＡＲフレームをピギーバックすることができる。既存のアップリンクＴＸＯＰ上にＡＩフレームをピギーバックすることは、他のＴＸＯＰを要求するのに別個のコンテンションが必要でないこと意味する。結果として、このアプローチは、連続的なデータ・ストリームのためのＳＤＭＡシステムの効率を改善することができる。言い換えると、既存のＴＸＯＰの間に追加のＡＩまたはＡＲフレームを送ることによる送信時間の増加（およそ数マイクロセカンド程度）は、別個のＴＸＯＰの持続時間（例えば、これは、４ｍｓであり得る）と比較してごくわずかであり得る。
【００４３】
以下でより詳細に説明されるように、ピギーバックされた情報（例えば、ピギーバックされなければ、別個のＡＩまたはＡＲフレームに含まれるであろう情報）は、任意の適切な方法で既存のＴＸＯＰに含まれることができる。例えば、ある態様にしたがって、そのような情報は、集合したメディア・アクセス・コントロール・プロトコル・データユニット（Ａ−ＭＰＤＵ: Aggregated Media Access Control Protocol Data unit）内に集められることができる。代替的に、ある態様にしたがって、そのような情報は、メディア・アクセス・コントロール（ＭＡＣ）ヘッダ内に含まれることができる。
【００４４】
シーケンスの一例において、送信されたＡＲフレームに基づいて、ＡＰは、例えば、正規のコンテンションを通して区分表示（ＤＩ: Demarcation Indication）を送信することによって、到来するアップリンクＳＤＭＡ  ＴＸＯＰを知らせることができる。以下で説明されるように、ある態様にしたがって、別個のＴＸＯＰにおいてＤＩフレームを送信するのではなく、ＤＩフレームはまた、ダウンリンクＴＸＯＰ上でピギーバックされることができる。
【００４５】
送信機会（ＴＸＯＰ）において割当て表示（ＡＩ）および割当て応答（ＡＲ）フレームをピギーバッキングすること 
様々なタイプの情報は、アップリンクまたはダウンリンクＴＸＯＰにおいてピギーバックされることができる。例えば、以下の説明において、様々なタイプのフレームは、これらのフレームが別個のＴＸＯＰにおいて送られるのではなく、既存のＴＸＯＰにおいてピギーバックされることができる。そのようなフレームの事例は、次のものには制限されないが、割当て表示（ＡＩ）、割当て応答（ＡＲ）、区分表示（ＤＩ）、ブロック・アックノレッジメント（ＢＡ: block acknowledgement）、およびブロック・アックノレッジメント要求（ＢＡＲ: block acknowledgement request）フレームを含む。以下でより詳細に説明されるように、フレームの広く様々な異なる組み合わせは、アップリンク送信、ダウンリンク送信、またはピギーバックされたアップリンク送信およびダウンリンク送信の組み合わせにおいてピギーバックされることができる。
【００４６】
図４は、本開示のある態様にしたがって、ＴＸＯＰにおいてピギーバックされた情報を利用するＡＰおよび局によって行われることができるオペレーション４００の一例を例示する。例示されるように、オペレーション４０２−４０６は、ＡＰによって行われることができるが、オペレーション４０８−４１２は、１つまたは複数の局によって並列に行われることができる。
【００４７】
４０２において、ＡＰは、１つまたは複数の局に区分表示（ＤＩ）フレームを送信することができる。上で説明されたように、ＤＩは、アップリンクＳＤＭＡ  ＴＸＯＰの開始を示すことができる。ＤＩは、ＴＸＯＰにおいてどの局が必要であり得るか、各々の局が使用することができる空間ストリームの数などのようなアップリンクＳＤＭＡ  ＴＸＯＰについての情報を含むことができる。ＤＩは、ダウンリンクＴＸＯＰの上にピギーバックされたまたは専用のダウンリンクＴＸＯＰにおいて別個のフレームとして送られることができる。
【００４８】
４０８において、局は、アップリンクＴＸＯＰの開始を示すＤＩを受信する。４１０において、局は、ＴＸＯＰにおいてＵＬデータとピギーバックされた割当て表示（ＡＩ）フレームにより、ＤＩによって示されるアップリンクＴＸＯＰの間にアップリンク（ＵＬ）データを送信する。
【００４９】
４０４において、ＡＰは、第２のアップリンク送信機会においてＵＬデータおよび１つまたは複数のアップリンク・ストリームの要求を受信する。例えば、局は、第１のアップリンク送信機会において送信されるＵＬデータと「ピギーバックされた(piggybacked)」ＡＩとして要求を送ることができる。このようにして、局は、第２の（その後の）送信機会における送信のためのリソースを（第１の送信機会の間に）要求することができる。これは、例えば、要求がピギーバックされなかった場合に回避しなければ生じ得る追加のＳＩＦを回避することにより帯域幅を保護することを助けることができる。
【００５０】
４０６において、ＡＰは、ピギーバックされた割当て応答（ＡＲ）によりデータ・アックノレッジメント（例えば、ブロック・アックノレッジメントまたはＢＡ）を送信する。４１２において、局は、アックノレッジメントを受信する。
【００５１】
図５は、図４のオペレーションにしたがって、ピギーバックされたＡＩおよびＡＲフレームをともなうフレーム交換シーケンスの一例を例示する。例示されるように、ＡＰは、バックオフ期間（backoff period）の後に、到来するアップリンクＳＤＭＡ  ＴＸＯＰの開始を示すＤＩフレーム５０２（または、単にＤＩ）を送信する。例示されるように、ＤＩ５０２は、その後のＵＬおよびＤＬ送信をカバーするのに十分なＮＡＶ持続時間を設定するために使用されることができる。
【００５２】
例示された事例において、ＤＩ５０２は、局１乃至４がアップリンクＳＤＭＡ  ＴＸＯＰの間に送信することを指定することができる。アップリンクＳＤＭＡ  ＴＸＯＰの間に、局１乃至４は、データフレームおよびピギーバックされたＡＩフレームをともなうアップリンクＡ−ＭＰＤＵ５０４を送ることができる。各々のＡＩフレームは、対応する送信局によってアップリンクＴＸＯＰの新しい要求を指定することができる。
【００５３】
アップリンクＳＤＭＡ  ＴＸＯＰの終わりの後に、ＡＰは、ＵＬデータとともに送られたＡＩに応答してＡＲフレームおよびＵＬデータのブロック・アックノレッジメント（ＢＡ）を含むＡ−ＭＰＤＵ506を各々の局へ（ＳＤＭＡを使用して）送信することができる。アップリンク方向においてデータをアックノレッジするために使用されるＢＡのタイプは、高スループット（ＨＴ: High Throughput）−即時ブロックＡＣＫであり得る。アップリンク・フレーム上のＡＣＫポリシーは、ＵＬデータに明示のＢＡＲが含まれていなくともＢＡにより応答するようＡＰに促す暗黙の（implicit）ブロックＡＣＫ要求（暗黙のＢＡＲ）として役に立つことができる。
【００５４】
図６は、フレーム交換シーケンスの他の一例を例示する。例示された交換は、図５におけるフレーム交換シーケンスから導き出されることができる。図６において例示されるように、ＡＰは、ダウンリンクＳＤＭＡ送信の手段によって局１乃至４にダウンリンクデータを送信することができる。ダウンリンクＡ−ＭＰＤＵ６１０は、各々の局へダウンリンク（ＤＬ）データと共にブロックＡＣＫ要求（ＢＡＲ）を集めることができる。データＭＰＤＵ上のＡＣＫポリシーは、ブロックＡＣＫに設定されることができ、ＢＡＲフレーム上のＡＣＫポリシーは、ＮＯ  ＡＣＫに設定されることができる。ダウンリンク方向において使用されるブロックＡＣＫのタイプは、ＢＡが多少の遅延の後に送信されることができることを示す高スループット（ＨＴ）−遅延ブロックＡＣＫであり得る。
【００５５】
したがって、局によって送信されるＵＬ  Ａ−ＭＰＤＵ６０４は、以前のダウンリンクＳＤＭＡ送信においてＡＰによって要求されるようにＢＡを含むことができる。アップリンクデータ送信上のＡＣＫポリシーは、アップリンク送信の後の短いインターフレーム・スペース（ＳＩＦＳ: Short Inter-frame Space）に続くダウンリンク送信６０６においてＡＲとピギーバックされたＢＡをＡＰが送信することができることを示す暗黙のＢＡＲであり得る。アップＰリンク方向において使用されるブロックＡＣＫのタイプは、ＡＰがＳＩＦＳの後にＢＡにより応答することができることを示すＨＴ−即時ブロックＡＣＫであり得る。
【００５６】
図７は、双方向フレーム交換シーケンスの他の一例を例示する。図７におけるシーケンスは、アップリンクＡ−ＭＰＤＵ７１２の後に応答するダウンリンクＢＡおよびＡＲを含むＡ−ＭＰＤＵ７０８において局へダウンリンクデータ送信（図６において図示されている）を移動させることによって作成されることができる。例示されるように、ダウンリンクＡ−ＭＰＤＵ７０８はまた、ＢＡＲを含むことができる。ＤＬ  Ａ−ＭＰＤＵ７０８は、ＢＡ、ＵＬデータ、およびＡＩを含む局からのＵＬ  Ａ−ＭＰＤＵ７１２に続いてもよい。この交換の事例において、ＵＬ  Ａ−ＭＰＤＵ７１２内のＢＡは、以前のダウンリンクデータ送信（図７において図示されていない）をアックノレッジすることができる。
【００５７】
図８は、双方向フレーム交換シーケンスの他の一例を例示する。例示されるように、図８におけるシーケンスは、ＵＬ  ＴＸＯＰを知らせるＤＩ８０２により始まってもよい。ＤＩ８０２は、それに続くＵＬ送信およびＤＬ送信のためのネットワーク割当てベクトル（ＮＡＶ: Network Allocation Vector）保護時間を設定するために使用されることができる。ＵＬ  ＴＸＯＰの間に、局は、ピギーバックされたＡＩをともなうＵＬデータを含むＵＬ送信８０４を送ることができる。ＵＬ送信８０４の後に、ＢＡ、局へのＤＬデータ、およびＡＲを含むＤＬ送信８１６が続いてもよい。ＵＬ送信８０４の後に、ＤＬ送信８１６において（例えば、暗黙のＢＡＲにより）送られるＤＬデータをアックノレッジする、局によって送られる別個のＵＬ  ＢＡ８３４が続いてもよい。
【００５８】
区分表示（ＤＩ）フレームをピギーバックすること 
上で述べられたように、本開示のある態様にしたがって、ＤＩを別個のグループのアドレス指定されたフレーム（例えば、複数の局をアドレス指定する）として送るのではなく、ＤＩは、ダウンリンクＡ−ＭＰＤＵ内に集められることができる。したがって、各々のアドレス指定された局に個別に送信されることができる。そのような集められたＤＩは、アドレス指定された局のみに到達しつつ、ダウンリンク送信上にＤＩを集めることは、個別のＤＩ送信のための別個の送信を削除することができる。双方向データ交換においてすべてのアクティブ局が必要とされる場合に、ダウンリンクＴＸＯＰに続く、局の同じセットからのアップリンクＴＸＯＰが、プロトコルを動作させるのに自然な方法であり得るので、この制限は、許容可能であり得る。ピギーバックされたＤＩは、ＤＬ送信の長さを増加し得るが、もしもＴＸＯＰが、クロック・ドリフトに関連して時間で範囲を付けられるならば、アップリンク送信は、依然として正確にアライン（aligned）させられることができる。
【００５９】
上で述べられたように、データとともに（例えば、ＭＰＤＵとともに）ダウンリンク送信の上にＤＩを集めることは、ＡＰによるピギーバッキングの単なる一例である。ピギーバックされることができるフレームの他のタイプは、ＢＡ、ＢＡＲ、および以下で説明されるように、逆方向認可（ＲＤＧ）を含む。
【００６０】
図９は、ピギーバックされたＤＩフレームを利用するオペレーション９００の一例を例示する。オペレーション９０８−９１２が１つまたは複数の局によって並列に行われることができるのに対し、オペレーション９０２−９０６は、ＡＰによって行われることができる。
【００６１】
９０２において、ピギーバックされた区分表示（ＤＩ）は、１つまたは複数の局に送信されることができる。ＤＩは、例えば、ブロックＡＣＫ要求（ＢＡＲ）またはダウンリンクデータと組み合わされる（例えば、ピギーバックされる）ことができる。以前に説明されたように、ＤＩは、アップリンクＳＤＭＡ  ＴＸＯＰの開始を示すことができ、ＳＤＭＡ  ＴＸＯＰについての情報を含むことができる。
【００６２】
９０８において、局は、アップリンクＳＤＭＡ  ＴＸＯＰの開始を示す、ピギーバックされたＤＩを受信することができる。９１０において、局は、（例えば、追加のＵＬ  ＴＸＯＰを要求するために）ピギーバックされたＡＩフレームと共に、ＵＬ  ＳＤＭＡ  ＴＸＯＰの間にＵＬデータを送信することができる。９０４において、ＡＰは、ＵＬデータおよびＡＩフレームを受信する。９０６において、ＡＰは、９１２において、局によって受信されたＡＩに応答してＵＬデータおよびＡＲのアックノレッジメントを送信する。
【００６３】
図１０は、図９のオペレーションにしたがって、ピギーバックされたＤＩをともなうフレーム交換シーケンスの一例を例示する。フレーム交換シーケンスの一例は、ＢＡＲとピギーバックされたＤＩを含むＤＬ  Ａ−ＭＰＤＵ１０１４により始まることができる。ＳＩＦＳ期間の後、それに続くアップリンク送信１０１２は、ＵＬブロックＡＣＫ、次のＴＸＯＰのためのＡＩ、およびＵＬデータを含むことができる。
【００６４】
アップリンクＳＤＭＡ  ＴＸＯＰの後、ＡＰは、各々の局ごとにＢＡ、ＡＩに応じるＡＲ、およびＤＬデータを含むＳＤＭＡ送信１０１６により応答することができる。ＤＬデータ送信は、局からの即時の応答を誘い出さないようにブロックＡＣＫポリシーを指定することができる。したがって、ＢＡは、ＡＰによるそれに続くＤＩ＋ＢＡＲ送信（送信１０１４と類似する）を通して要求されることができ、このサイクルは、繰り返されることができる。ＨＴ−即時のＢＡは、これから、両方の方向において使用されることができる。ブロックＡＣＫアックノレッジメント・ポリシーは、ダウンリンクＳＤＭＡ送信の後のＳＩＦＳ応答を回避するためにダウンリンクデータ送信上で使用されることができる。
【００６５】
各々の局のための別個のピギーバックされたＤＩおよびＢＡＲフレームによりＤＬ  Ａ−ＭＰＤＵ１０１４を送信するのではなく、図１０において図示されるように、ＡＰは、単一のピギーバックされたＤＩフレームを送信することができる。例えば、図１１において例示されるように、ＡＰは、グループ・アドレス指定されたＤＩおよびＢＡＲフレームを含む単一のＤＬ送信１１１８を送ることができる。この場合において、ＤＩを含むＤＬ送信１１１８は、ＳＤＭＡ送信として送信される必要はない。
【００６６】
図１２において例示されるように、ＤＩはまた、ＵＬ  ＴＸＯＰを認可される局のための追加の暗黙のＢＡＲプロパティをともなうＤＬ送信１２２０として送られることができ、例えば、これは、ＡＰによるＨＴ−即時ブロックＡＣＫ承諾を有する。暗黙のＢＡＲプロパティは、最新のダウンリンクデータＭＰＤＵが暗黙のＢＡＲプロパティを有していた場合に、送信したであろうＢＡを受信局が送るであろうことを意味する。
【００６７】
図１３において例示されるように、双方向フレーム交換シーケンスはまた、ＤＩフレーム・フォーマット内にＢＡＲ情報を含むことによって形成されることができる。組み合わされたＤＩおよびＢＡＲフレームは、ＤＩ−ＢＡＲフレーム１３２２として示される。ＤＩフレームからの情報に加えて、ＤＩ−ＢＡＲフレーム１３２２フォーマットは、いくつかの宛先ＳＴＡに関する（例えば、ＤＩ部分に示される局のサブセットに関する）、ＢＡＲフレームに含まれる情報のいずれかまたはすべてを含むことができる。
【００６８】
代替として、図１４において例示されるように、ＤＩは、別個のフレーム１４０２に含まれることができ、各々の局のための別個のＢＡＲは、ＳＤＭＡ  ＤＬ送信１４２４に含まれることができる。ＤＩフレーム１４０２は、オフセットを含むことができ、その後にアップリンクＳＤＭＡ送信が開始し得る。ダウンリンクＢＡＲフレーム１４２４は、アップリンクＳＤＭＡ送信が開始する前に送信されることができる。ＢＡＲフレーム１４２４は、比較的短いフレームであり得るので、アップリンクＳＤＭＡシーケンスのタイミングのアラインメントは、この事例において問題にならないだろう。
【００６９】
図１５において例示されるように、ＤＩフレーム１４０２およびＳＤＭＡ  ＢＡＲフレーム１４２４は、順番にスワップされることができる。ダウンリンクＢＡＲフレーム１４２４に対するＡＣＫポリシーは、図１５のシーケンスにおいてＮＯ  ＡＣＫとなるよう変更することができ、ダウンリンク方向におけるＢＡタイプは、ＨＴ−即時ＢＡからＨＴ−遅延ＢＡに変更することができる。
【００７０】
図１６は、フレーム交換シーケンスの他の一例を例示する。例示されたシーケンスは、ダウンリンクデータ送信が、正確に開始するためにアップリンクＳＤＭＡ  ＴＸＯＰのために十分に短くてもよい（つまり、各々の個別の局において十分に小さいクロック・ドリフトをともなう）というアイデアを引き出すことができる。結果として、ＤＩ、ＡＩ、およびＡＲは、ＤＬ  ＳＤＭＡ送信１６２６、ＵＬ  ＳＤＭＡ送信１６１２、およびＤＬ  ＳＤＭＡ  ＢＡ送信１６０６において、この事例においてそれぞれすべてピギーバックされることができる。例示されるように、局からのＵＬ  ＳＤＭＡ送信１６１２は、ＵＬデータを含むことができる。ＳＤＭＡ送信のみがあるので、ＮＡＶ保護は、この場合必要なくてもよい。
【００７１】
ある態様にしたがって、ＤＩフレームは、ＳＤＭＡ  ＤＬ送信１６２６である。これは、図１７において図示されるようにＤＬ  ＳＤＭＡ送信１７２８において逆方向認可（ＲＤＧ: Reverse Direction Grants）と置き換えられることができる。ＲＤＧは、ダウンリンクＳＤＭＡフレーム１７２８のＭＡＣヘッダ内で示されることができる。ＲＤＧは、受信局が、例えば、ＡＰへ送信するためにＡＰが使用するのと同じ空間ストリームを使用して最長ダウンリンク送信の終了の後にＡＰ  ＳＩＦＳに応答することができることを示すと定義されることができる。したがって、ＲＤＧは、事実上、暗黙のＤＩとして役に立ち得る。
【００７２】
図１８および１９は、フレーム交換シーケンスの他の一例を例示する。図１８において例示されるように、ダウンリンクＢＡおよびＡＲフレームは、最初のＤＬデータ送信１８３０におけるＤＩおよびＤＬデータと一緒に含まれることができる（ＢＡおよびＡＲフレームは、以前に受信されたＵＬデータおよびＡＩフレームにそれぞれ応答して送信されることができる）。ＤＬデータＭＰＤＵは、ＨＴ−即時ＢＡポリシーの下で、暗黙のＢＡＲポリシーを示すことができる。例示されるように、その後のＵＬ  ＳＤＭＡ送信１８３２は、ＢＡ、ＵＬデータ、その後のＴＸＯＰのためのＡＩ、およびＢＡＲを含むことができる。ＵＬデータＭＰＤＵは、ＨＴ−遅延ＢＡポリシーの下で、ブロックＡＣＫポリシーを示すことができる。ＡＩ  ＭＰＤＵは、ＮＯ  ＡＣＫポリシーを示すことができる。ＢＡＲ  ＭＰＤＵは、ＮＯ  ＡＣＫポリシーを示すことができる。
【００７３】
図１９は、ＵＬデータ、ＡＩ、およびＢＡを含むＵＬ  ＭＰＤＵ１９０４の後にＢＡおよびＡＲをともなうダウンリンクデータＭＰＤＵ１９３６が続く代替的なフレーム交換シーケンスを例示する。ダウンリンクデータ・フレームは、暗黙のＢＡＲポリシーを示すことができる。例示されるように、アップリンクＢＡ応答送信１９３８は、暗黙のＤＩによって開始されるアップリンクＳＤＭＡ  ＴＸＯＰの間に生じ得る。例えば、ダウンリンクデータＭＰＤＵ１９３６は、ＳＩＦＳ期間の後に続くＢＡ  ＭＰＤＵ１９３８をともなう最長のパケットの後に受信局に応答させる暗黙のＢＡＲ  ＡＣＫポリシーを示すことができる。局は、アップリンク送信１９３８を生じさせる暗黙のＤＩのために、局への以前のダウンリンク送信上で使用されたようなアップリンク送信のために同じ空間ストリームを使用することができる。
【００７４】
図２０は、再び暗黙のＤＩを利用するフレーム交換シーケンスの一例を例示する。例示されるように、ダウンリンクデータＭＰＤＵ２０３８は、ＳＩＦＳ応答を示すダウンリンク・パケット上で定義される暗黙のＤＩの結果として、ＢＡ  ＭＰＤＵ２０３４をともなう最長パケットの後にＳＩＦＳの向きを変えることを受信局にさせる暗黙のＢＡＲ  ＡＣＫポリシーを示す。例示されるように、明示のＤＩフレーム２００２は、集められたＵＬデータおよびＡＩを含むＵＬ  ＳＤＭＡ送信２００４に関するその後のＴＸＯＰを知らせることができる。ＵＬデータおよびＡＩは、ＤＬ  ＳＤＭＡ送信２００６に含まれるＢＡおよびＡＲによってそれぞれアックノレッジされることができる。
【００７５】
図２１において例示されるように、ＢＡおよびＡＲを含む別個のＤＬ送信２００６を利用するのではなく、ＵＬデータおよびＡＩは、ＤＬデータ送信２１４２に含まれるＢＡおよびＡＲにおいてアックノレッジされることができる。さらに、ＵＬデータ送信２１４０は、ＵＬデータ、ＡＩ、およびＢＡＲを含むことができる。
【００７６】
ＭＡＣヘッダに情報を追加すること 
以前に説明されたように、ピギーバックされた情報（例えば、ＡＩおよびＡＲ情報）は、メディア・アクセス・コントロール（ＭＡＣ: Media Access Control）ヘッダ内に含まれることができる。これを達成するために、空間ストリームの要求されたまたは認可された数のような対応する情報を搬送するためにＭＡＣヘッダのコントロール、管理またはデータフレームにフィールドが追加されることができる。したがって、これらのフィールドは、ＡＩのための空間ストリームの要求数（ＲＳＳ: Requested Number of Spatial Streams）フィールドおよびＡＲのための空間ストリームの認可された数ＧＳＳフィールド（ＧＳＳ: Granted Number of Spatial Streams）と呼ばれることができる。同じフィールドは、アップリンク送信上でＲＳＳフィールドとして、およびダウンリンク送信上でＧＳＳフィールドとして役に立つために再び使用されることができる。例として、０の値に設定する場合、ＲＳＳフィールドは、その局のためのアップリンクＴＸＯＰの生成を終了せよとの要求を示すことができる。同様に、０の値に設定する場合、ＧＳＳフィールドは、その局のためのアップリンクＴＸＯＰの生成の終了を示すことができる。
【００７７】
ある場合において、ＭＡＣヘッダ内にフィールドを追加することは、「スプーフィング（spoofing）」アタックと呼ばれるアタックに対して保護することができない（ここで、アタッカーは、フィールド値を観察し、有効であるように見える送信を生成しようと試みてそれらを複製する）。この目的のために、ある態様にしたがって、ＲＳＳおよび／またはＧＳＳフィールドは、メッセージの保全性チェック（ＭＩＣ: Message Integrity Check）フィールドに含まれることができる。パケット識別番号（ＰＩＮ: Packet Identification Number）はまた、この場合に提示されることができる。これは、各々のフレームごとに更新されることができる。デフォルトによってこれらの機能を含み得る他のオプションは、例えば、論理リンク・コントロール（ＬＬＣ: Logical Link Control）ヘッダの後ろに情報をカプセル化することによってデータフレーム内に情報を含んでいる。ＬＬＣヘッダは、例えば、ＬＬＣの後にサブネットワーク・アクセス・プロトコル（ＳＮＡＰ: Sub Network Access Protocol）を使用し、イーサタイプ（Ethertype）を指定することによって、フレームが８０２．１１シグナリング・フレームであることを示すことができる。他のオプションは、管理フレームのフレーム本体内に情報を入れ、管理フレームを暗号化するために８０２．１１ｗを使用することであり得る。
【００７８】
多くのＭＰＤＵが集められる場合に、ＡＩまたはＡＲフレームを集めることは、全てのＭＡＣヘッダにＲＳＳ／ＣＳＳフィールドを含むことよりも効率的であり得ることが注目され得る。
【００７９】
アップリンクＡＩ−タイプのシグナリングに関する他のオプションは、ＭＡＣヘッダ内に「より多くのＴＸＯＰ」フィールドを追加することである。より多くのＴＸＯＰフィールドは、例えば、単一のビットのサイズであり、他のＴＸＯＰが、現在のＴＸＯＰと同じプロパティにより、現在のＴＸＯＰの後に要求されるかどうかを示すことができる。この場合、空間ストリームの数を変更することは、ＡＩフレームを送ることによって達成されることができる。
【００８０】
新しいＴＸＯＰはまた、いったん要求されると自動的に割り当てられ、１つまたは複数の未使用のＴＸＯＰが生じる場合に終了されることができる。この場合、アップリンクＳＤＭＡ  ＴＸＯＰがいったん得られると明示的なアップリンク・シグナリングは、起こらないだろう。
【００８１】
ある態様にしたがって、ＡＲは、リソースが利用可能になる場合に、空間ストリームの数を更新するために、求められていない方法でＡＰによって送信され得る。受信局は、求められていないＡＲを受信することに応答してＡＣＫを送ることができる。
【００８２】
ＡＩ、ＡＲ、およびＤＩフレームのフォーマット化 
ある態様にしたがって、ＡＩ／ＡＲ／ＤＩフレームは、アクション・フレームとしてフォーマットされることができる。そのような場合において、フレームを含むＰＨＹプロトコル・データユニット（ＰＰＤＵ: PHY Protocol Data Unit）が即時リターン・フレームを受信するかどうかに依拠して、アクションとアクションＮＯ  ＡＣＫとの間で選択され得る。コントロール・フレームとしてフォーマットされる場合に、ＡＣＫポリシーは、定義（つまり、それぞれ、ＡＩについて即時応答、ＡＲについて応答無し、ＲＴＳおよびＣＴＳと類似）によって固定されるか、またはフレームが集められるＰＰＤＵに依拠してＡＣＫポリシーをコントロールするためにＡＣＫポリシー・フィールド（ＢＡＲフレーム内のＡＣＫポリシー・フィールドに類似）が含まれるかのいずれかである。ＡＩ、ＡＲ、およびＤＩフレームに関するフォーマット化の事例が以下で説明される。
【００８３】
図２２−２６において、様々なタイプのフレームに関するフィールドの様々な事例が、使用されることができるフレーム・フォーマットの事例を例示するために図示される。ある態様にしたがって、これらの図面において例示されるフィールドの事例のうちのいくつかは、オプション、必須、または使用されなくてもよい。さらに、ある態様にしたがって、これらの図面において図示されていない様々なフィールドは、図示されているフィールドの代替として、または図示されているフィールドに加えて使用されることができる。
【００８４】
図２２は、ＡＩフレームに関するフォーマット化の事例を例示する。例示されるように、ＡＩフレームは、解読されたアクション（ＮＯ  ＡＣＫ）フレーム２２０２として、または暗号化されたアクション（ＮＯ  ＡＣＫ）フレーム２２０４としてフォーマットされることができる。
【００８５】
例示されるように、ＡＩアクション・フレームは、３１オクテット全部で、フレーム・コントロール（ｆｃ: Frame Control）フィールド、持続時間（ｄｕｒ: Duration）フィールド、宛先アドレス（ｄａ: Destination Address）フィールド、ソース・アドレス（ｓａ: Source Address）フィールド、ベーシック・サービスセット識別子（ＢＳＳＩＤ: Basic Service Set Identifier）フィールド、シーケンス・コントロール（ｓｃ: Sequence Control）フィールド、カテゴリー・フィールド、アクション・フィールド、空間ストリームの要求数（ｒｓｓ: Requested number of Spatial Streams）フィールド、およびフレーム・チェック・シーケンス（ｆｃｓ: Frame Check Sequence）フィールドを含むことができる。ｄａフィールドは、ＡＰのＭＡＣアドレス（典型的に、ベーシック・サービスセット識別子またはＢＳＳＩＤと呼ばれる）を含むことができ、ｓａフィールドは、局の自身のＭＡＣアドレスを含むことができる。ＢＳＳＩＤは、ＡＰのＭＡＣアドレスを含むことができ、ｓｃフィールドは、フレーム・シーケンス数を含むことができる。カテゴリー・フィールドは、アクション・フレーム本体（例えば、非常に高いスループット−ＶＨＴ）のカテゴリーを含むことができ、アクション・フィールドは、アクション・フレーム本体（この場合ＡＩ）の名前を含むことができる。ｒｓｓフィールドは、空間ストリームの要求された数を含むことができる。ｆｃｓフィールドは、巡回冗長検査(ＣＲＣ: Cyclic Redundancy Check)を含むことができる。ＡＩアクション・フレームの暗号化されたバージョンは、加えて、暗号ブロックチェーニング・メッセージ認証コード（ＣＢＣ−ＭＡＣ: cipher-block chaining message authentication code）プロトコル・ヘッダ（ｃｃｍｐ  ｈｄｒ）およびメッセージ完全性コード（ｍｉｃ: Message Integrity Code）をともなうカウンター・モード（ＣＴＲ:counter mode）を含むことができる。これは、暗号化を可能にし、フレームの完全性をチェックすることを可能にする。管理タイプ・フレームの暗号化は、８０２．１１ｗがサポートされると仮定する。
【００８６】
アクションＮＯ  ＡＣＫフレームとして送信される場合に、ＡＩは、即時応答を生じないだろう。
【００８７】
可能性のあるパフォーマンス利得の事例として、２００Ｍｂｐｓ  ＰＨＹレートを仮定して、Ａ−ＭＰＤＵ送信時間は、暗号化されていないＡＩのためのＡＩフレームの追加により、およそ１．２４マイクロセカンド（ｕｓ）ずつ増加し、および暗号化されたＡＩフレームの追加により、およそ１．８８ｕｓずつ増加し得る。およそ４マイクロセカンド（ｍｓ）ＴＸＯＰサイズと比較して、この増加は、さほど重要ではないかもしれない（それぞれ０．０３％および０．０５％）。
【００８８】
図２３において例示されるように、ＡＲフレームはまた、解読されたアクション（ＮＯ  ＡＣＫ）フレーム２３０２または暗号化されたアクション（ＮＯ  ＡＣＫ）フレーム２３０４としてフォーマットされることができる。例示されるように、フレーム２３０２および２３０４は、図２２において図示されるようにＡＩフレーム２２０２および２２０４と同じタイプのフィールドを含むことができる。
【００８９】
図２４は、ＡＩおよびＡＲフレームのフォーマット化の一例を例示する。この事例において、ＡＩおよびＡＲフレームは、それぞれコントロール・フレーム２４０２および２４０４としてフォーマットされることができる。ＡＩフレームは、２１オクテット全体で、フレーム・コントロール（ｆｃ: Frame Control）フィールド、持続時間（ｄｕｒ: Duration）フィールド、宛先アドレス（ｄａ: Destination Address）フィールド、ソース・アドレス（ｓａ: Source Address）フィールド、空間ストリームの要求数（ｒｓｓ: Requested number of Spatial Streams）フィールド、およびフレーム・チェック・シーケンス（ｆｃｓ: Frame Check Sequence）フィールドを含むことができる。ｄａフィールドは、ＡＰのＭＡＣアドレスを含むことができ（典型的に、ベーシック・サービスセット識別子またはＢＳＳＩＤと呼ばれることができる）、ｓａフィールドは、局の自身のＭＡＣアドレスを含むことができる。
【００９０】
ＡＲフレームは、１５オクテット全体で、ｆｃフィールド、ｄｕｒフィールド、ｄａフィールド、空間ストリームの認可された数（ｇｓｓ）フィールド、およびｆｃｓフィールドを含むことができる。ｄａフィールドは、局のアドレスを含むことができる。
【００９１】
即時応答は、ＰＰＤＵプロパティに依拠してコントロールされる必要がある場合に、ＡＣＫフィールドが追加されなければならない。３６ＭＢｐｓのＯＦＤＭレートを使用すると、送信持続時間は、ＡＩコントロール・フレームの場合およそ２８ｕｓであり、ＡＲコントロール・フレームの場合およそ２４ｕｓであり得る。コントロール・フレームは、Ａ−ＭＰＤＵの部分として集められることができる。
【００９２】
上で説明されたように、ＡＩおよびＡＲコントロール・フレームは、Ａ−ＭＰＤＵの部分として集められることができるが、それらの応答ポリシーは、定義によって固定される。適切な応答ポリシーは、ＡＲを含むＰＰＤＵが、ＡＩを含むＰＰＤＵを受信した後にＳＩＦＳを送信されること、およびＡＲ  ＭＰＤＵが、即時応答を引き出さないことであり得る。
【００９３】
図２５は、コントロール・フレーム２５０２としてＤＩフレームをフォーマットするための事例を例示する。ＤＩコントロール・フレームは、２１オクテット全体で、ｆｃフィールド、ｄｕｒフィールド、ｄａフィールド、ｄｉ情報フィールド、およびｆｃｓフィールドを含むことができる。例示されるように、ｄｉ情報フィールド２５０４は、空間ストリームごと（ｓｓ０−ｓｓ７）に、その上で送信するよう割り当てられる局を含むことができる。局識別子は、合計で１２８局の場合、サイズ７ビットとなるよう仮定される。ｄｉ情報フィールドは、このようにして、長さ５６ビットまたは７オクテットになり得る。ｄａフィールドは、個別に局に送られる場合に、ブロードキャストまたはマルチキャスト・アドレス、またはユニキャスト局アドレスを含み得る。３６ＭｂｐｓのＯＦＤＭを使用する場合に、ＤＩコントロール・フレーム送信持続時間は、２８ｕｓである。
【００９４】
図２６は、解読されたアクション（ＮＯ  ＡＣＫ）フレーム２６０２または暗号化されたアクション（Ｎｏ  Ａｃｋ）フレーム２６０４としてＤＩフレームをフォーマット化するための一例を例示する。フォーマット化することは、暗号ブロックチェーニング・メッセージ認証コード・プロトコル（ＣＣＭＰ: Cipher Block Chaining Message Authentication Code Protocol）暗号化をともなうカウンター・モードによりなされることができ、およびカウンター・モードによらずになされることができる。
【００９５】
複数の局のためのアップリンク・フレーム交換シーケンス  
例示されるシーケンスの事例は、理解を容易にするために４個の局を仮定しているが、当業者は、本明細書において提示される技術が多くの局をともなうシステムに適用されることができることを認識するだろう。そのような場合において、アップリンクＳＤＭＡ  ＴＸＯＰ内に利用可能なＴＸＯＰよりも多い局がある場合に、複数のアップリンクＳＤＭＡ  ＴＸＯＰが全ての局をアドレス指定するために使用されることができる。そのような場合において、ＡＰは、アップリンクＴＸＯＰの間の時間に関するいくつかのオプションがあり得る。この場合において：規則的なバックオフ、低減されたバックオフ、ＤＩＦＳ、ＰＩＦＳ、またはＳＩＦＳである。各インターバルは、ネットワークにおける他の競争相手に関して異なる公平性プロパティ、および全体の効率性に関して異なるプロパティを有することができる。アップリンクＳＤＭＡ  ＴＸＯＰにおいて現在アクティブな全ての局をアドレス指定するＴＸＯＰのブロックの間で、ＡＰは、競争が生じることを考慮し得る（つまり、バックオフを挿入する）。これは、他のアップリンク送信について生じることを（例えば、ｔｘｏｐ外ＡＩ送信、レガシー送信、またはオーバーラップするネットワークからのＤＩ送信のように）考慮する。この方法は、すべての局をアドレス指定するＴＸＯＰブロック内のＴＸＯＰの間のＰＩＦＳ時間を仮定する。
【００９６】
ある実施形態にしたがって、アップリンクＴＸＯＰの第１のセットＴ１は、局の第１のセット（例えば、ＳＴＡ１ないし４）のためのアクセスを提供することができる。１スロットのクリア・チャネル評価（ＣＣＡ: Clear Channel Assessment）を考慮するためにＴＸＯＰの後にＰＩＦＳが続く。ＡＰは、その後、局の第２のセット（例えば、０ＳＴＡ５ないし８）のためのアップリンクＴＸＯＰ  Ｔ２のセットが後に続く第２のＤＩを送ることができる。第３のＤＩは、局の第３のセット（例えば、ＳＴＡ９ないし１１）のためのＴＸＯＰ  Ｔ３に続くことができる。アップリンクＴＸＯＰ  Ｔ３の第３のセットの後に、ＡＰは、要求されたおよび／または成功裡に継続したアップリンクＴＸＯＰを有する全ての局をアドレス指定することができ、バックオフが後に続き得る。ＡＰにおけるバックオフ期間の間に、他の局（例えば、ＳＴＡ１２）は、アップリンクＴＸＯＰを要求するＡＩをＡＰへ送ることができる。ＡＰにおけるバックオフは、継続することができ、それが終了する場合に、ＡＰは、アップリンクＴＸＯＰの次のラウンドを開始するために他のＤＩを送信することができる。アップリンクＴＸＯＰの第１のブロックにおける全ての他のアップリンク送信（ＳＴＡ１ないし１１に関する）は、新しいＴＸＯＰ要求を含むので、ＡＰは、新しいＴＸＯＰを生成することができる。ＳＴＡ１２はまた、この反復においてアップリンクＴＸＯＰを受信することができる。
【００９７】
注目されるように、対応する図面において例示されたＡＣＫポリシー設定の事例により、上で説明されたシーケンスの事例の多くは、所望の応答を達成するためにＡＣＫポリシー設定に依拠する。ＡＣＫポリシーは、以下の記述にしたがって設定されることができる。
【００９８】
ＨＴ−遅延されたＢＡＲに応答するＢＡは、特定されていない遅延の後に、および次のＢＡＲの受信者が送信する機会を有する場合に、送信されることができる。この応答は、逆方向の機能を使用してＢＡＲの送信者によって所有された後のＴＸＯＰまたは現在のまたはＢＡＲの受信者によって所有された後のＴＸＯＰにおいて送信されることができる。
【００９９】
ＢＡＲおよびＢＡフレームのＮｏ  Ａｃｋ機能は、ＨＴ−遅延されたＢＡ承諾の下で使用されることができる。
【０１００】
１に設定されたＢＡＲ  ＡｃｋポリシーまたはＢＡ  Ａｃｋポリシー・フィールドを含むＢＡＲまたはＢＡフレームは、これらのコントロール・フレームに対してアックノレッジメントが期待されていないことを示すことができる。そうでない場合は、ＡＣＫ  ＭＰＤＵ応答は、ＳＩＦＳの後に期待されることができる。
【０１０１】
ＢＡＲ  ＡｃｋポリシーおよびＢＡ  Ａｃｋポリシー・フィールドの設定は、同じＨＴ−遅延されたＢＡ承諾と関連するＢＡＲおよびＢＡフレームについて独立に行われることができる。これらのフィールドの値の４つの組み合わせは、すべて有効である。
【０１０２】
ＢＡＲ  ＡｃｋポリシーおよびＢＡ  Ａｃｋポリシー・フィールドの設定は、動的であり、ＰＰＤＵからＰＰＤＵへ変化し得る。
【０１０３】
上で説明された方法の様々なオペレーションは、対応する機能を実行することができる任意の適切な手段によって実行されることができる。この手段は、次のものには制限されないが、回路、特定用途集積回路（ＡＳＩＣ）、またはプロセッサを含むさまざまなハードウェアおよび／またはソフトウェア・コンポーネントおよび／またはモジュールを含むことができる。一般に、図面において例示されるオペレーションがあるところにおいて、これらのオペレーションは、同様の番号付けで、対応するカウンターパート手段および機能コンポーネントおよび／または回路を有し得る。例えば、図４および９において例示されるブロック４０２−４１２および９０２−９１２は、図４Ａおよび９Ａにおいて例示される回路ブロック４０２Ａ−４１２Ａおよび９０２Ａ−９１２Ａに対応する。
【０１０４】
本明細書において使用されるように、「決定する（determining）」という用語は、広くさまざまなアクションを包含する。例えば、「決定する（determining）」は、計算すること（calculating）、コンピュータ計算すること（computing）、処理すること（processing）、導き出すこと（deriving）、調査すること（investigating）、ルックアップすること（looking up）（例えば、例えば、テーブル、データベース、または他のデータ構造をルックアップすること）、確かめること（ascertaining）などを含んでもよい。また、「決定すること(determining)」は、受信すること(receiving)（例えば、情報を受信すること）、アクセスすること(accessing)（例えば、メモリ内のデータにアクセスすること）などを含んでもよい。また、「決定すること(determining)」は、解くこと(resolving)、選択すること(selecting)、選ぶこと(choosing)、確立すること(establishing)などを含んでもよい。
【０１０５】
上で説明された方法のさまざまなオペレーションは、さまざまなハードウェアおよび／またはソフトウェア・コンポーネント、回路、および／またはモジュールのようなオペレーションを実行することができる任意の適切な手段によって行われることができる。一般に、図面において例示される任意のペレ−ションは、オペレーションを実行することができる対応する機能的な手段によって行われることができる。
【０１０６】
本開示に関連して説明されたおよび以下の特許請求の範囲において記載された様々な例示的な論理ブロック、モジュール、および回路は、汎用目的プロセッサ、デジタル信号プロセッサ（ＤＳＰ）、特定用途集積回路（ＡＳＩＣ）、フィールドプログラマブルゲートアレイ信号（ＦＰＧＡ）または他のプログラマブル論理デバイス（ＰＬＤ）、離散的ゲートまたはトランジスタ論理、離散的ハードウェアコンポーネント、またはこれらのものの任意の組み合わせであって、本件明細書記載の機能を実行するように設計されたものによって実装または実行されることができる。汎用目的プロセッサは、マイクロプロセッサであってもよいが、その代わりに、任意の産業上利用可能なプロセッサ、コントローラ、マイクロコントローラ、または状態機械であってもよい。プロセッサは、コンピュータ計算デバイスの組み合わせとして、例えば、ＤＳＰとマイクロプロセッサとの組み合わせ、複数のマイクロプロセッサ、ＤＳＰコアと結合した１つまたは複数のマイクロプロセッサ、または他の任意の同様の機器構成として、実装されることもできる。
【０１０７】
本件開示に関連して説明された方法またはアルゴリズムのステップは、ハードウェア、プロセッサによって実行されるソフトウェアモジュール、またはその２つの組み合わせにおいて直接具体化されることができる。ソフトウェアモジュールは、当該技術分野において知られている任意の形式の記憶媒体の中に在ることができる。記憶媒体のいくつかの例は、ランダム・アクセス・メモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバルディスク、ＣＤ−ＲＯＭなどを含んで使用されてもよい。ソフトウェアモジュールは、単一の命令、または多くの命令を具備してもよく、およびいくつかの異なるコードセグメント上、異なるプログラムの間、および複数の記憶媒体にわたって分散されることができる。記憶媒体は、プロセッサが記憶媒体から情報を読み出す、または記憶媒体に情報を書き込むことができるように、プロセッサと結合されていてもよい。そのかわりに、記憶媒体がプロセッサと一体化されていてもよい。
【０１０８】
本件明細書において開示された方法は、説明された方法を達成するための１つまたは複数のステップまたは動作を具備する。当該方法、ステップ、および／または動作は、特許請求の範囲から逸脱しない範囲で相互に交換されることができる。言い換えると、ステップまたは動作の固有の順番が明記されない限り、順番および／または固有のステップおよび／または動作の使用は、特許請求の範囲を逸脱しない範囲で修正されることができる。
【０１０９】
説明された機能は、ハードウェア、ソフトウェア、ファームウェア、またはこれらのものの任意の組み合わせにおいて実装されることができる。ソフトウェアにおいて実装される場合、当該機能は、１つまたは複数の命令としてコンピュータ可読媒体上に記憶されることができる。記憶媒体は、コンピュータによってアクセスされることができる任意の利用可能な媒体であってもよい。実例として、次のものには制限されないが、そのようなコンピュータ可読媒体は、ＲＡＭ、ＲＯＭ、ＥＥＰＲＯＭ、ＣＤ−ＲＯＭまたは他の光ディスク記憶、磁気ディスク記憶または他の磁気記憶デバイス、または任意の他の媒体であって、コンピュータによってアクセス可能な命令またはデータ構造の形式で所望のプログラムコードを搬送または記憶するために使用されることができる媒体を具備することができる。本件明細書において使用されているようなディスク（ｄｉｓｋおよびｄｉｓｃ）は、コンパクトディスク（ＣＤ）、レーザディスク、光ディスク、デジタル汎用ディスク（ＤＶＤ）、フロッピー（登録商標）ディスク、およびブルーレイ（登録商標）ディスクを含む。なお、ディスク（ｄｉｓｃ）がレーザにより光学的にデータを再生するのに対し、ディスク（ｄｉｓｋ）は、通常磁気的にデータを再生する。
【０１１０】
したがって、ある態様は、本明細書において示されるオペレーションを行うためのコンピュータ・プログラム・プロダクトを含むことができる。例えば、そのようなコンピュータ・プログラム・プロダクトは、記憶された（および／または符号化された）命令を有するコンピュータ可読媒体を含むことができ、当該命令は、本明細書において説明されたオペレーションを行うよう１つまたは複数のプロセッサによって実行可能である。ある態様の場合、コンピュータ・プログラム・プロダクトは、パッキング・マテリアルを含むことができる。
【０１１１】
ソフトウェアまたは命令はまた、送信媒体上で送信されてもよい。例えば、ソフトウェアが、同軸ケーブル、光ファイバーケーブル、より対線、デジタル加入者ライン（ＤＳＬ）、またはワイヤレス技術（例えば、赤外線、無線、および電磁波）を使用して、ウェブサイト、サーバー、または他の遠隔ソースから送信される場合、当該同軸ケーブル、光ファイバーケーブル、より対線、ＤＳＬ、またはワイヤレス技術（例えば、赤外線、無線、および電磁波）は、媒体の定義に含まれる。
【０１１２】
さらに、本件明細書記載の方法および技術を実行するためのモジュールおよび／または他の適切な手段は、ダウンロードされることができおよび／またはそうでなければ、適用可能なものとしてユーザ端末および／または基地局によって得られることができることが認識されるべきである。例えば、そのようなデバイスは、本件明細書記載の方法を実行するための手段の送信を容易にするためにサーバーに結合されることができる。代替的に、本件明細書記載の様々な方法は、ユーザ端末および／または基地局がデバイスへの記憶媒体を結合または提供することに基づく様々な方法を得ることができるように記憶手段（例えば、ＲＡＭ、ＲＯＭ、コンパクトディスク（ＣＤ）またはフロッピーディスクなどのような物理記憶媒体）によって提供されることができる。さらに、本件明細書記載の方法および技術をデバイスに提供するための任意の他の適切な技術が利用されることができる。
【０１１３】
特許請求の範囲は、上で例示された寸分違わない構成およびコンポーネントに制限されないことが理解される。特許請求の範囲から逸脱することの範囲で上に記載された方法および装置のアレンジメント、オペレーション、および詳細において、様々な修正、変更、およびバリエーションがなされることができる。
【図１】
0005318974.tif 000002
【図２】
0005318974.tif 000003
【図３】
0005318974.tif 000004
【図４】
0005318974.tif 000005
【図４Ａ】
0005318974.tif 000006
【図５】
0005318974.tif 000007
【図６】
0005318974.tif 000008
【図７】
0005318974.tif 000009
【図８】
0005318974.tif 000010
【図９】
0005318974.tif 000011
【図９Ａ】
0005318974.tif 000012
【図１０】
0005318974.tif 000013
【図１１】
0005318974.tif 000014
【図１２】
0005318974.tif 000015
【図１３】
0005318974.tif 000016
【図１４】
0005318974.tif 000017
【図１５】
0005318974.tif 000018
【図１６】
0005318974.tif 000019
【図１７】
0005318974.tif 000020
【図１８】
0005318974.tif 000021
【図１９】
0005318974.tif 000022
【図２０】
0005318974.tif 000023
【図２１】
0005318974.tif 000024
【図２２】
0005318974.tif 000025
【図２３】
0005318974.tif 000026
【図２４】
0005318974.tif 000027
【図２５】
0005318974.tif 000028
【図２６】
0005318974.tif 000029